(57)【特許請求の範囲】
【請求項１】
測位信号送信装置から前記測位信号送信装置の位置情報と送信する光の強度を示す強度情報とを含む異なる強度の複数の光信号を受信する受光部と、
前記強度情報に基づいて前記受光部の受信した前記複数の光信号における前記強度情報の組み合わせを示す強度パターンを取得し、取得した前記強度パターンと前記位置情報とに基づいて、前記複数の光信号のうち、最も強度の小さい第１の強度の第１の光信号の第１の照射範囲と、前記第１の強度より小さい第２の強度の未受信の第２の光信号の第２の照射範囲との間が所在位置であることを特定する特定部と、
を有することを特徴とする測位装置。
【請求項２】
照度ごとにおける前記強度パターンごとの測位精度を記憶した記憶部をさらに有し、
前記特定部は、前記受光部によって受信された前記複数の光信号に含まれる前記測位信号送信装置が受ける光の照度に基づいて前記記憶部を参照し、前記強度パターンにおける測位精度を取得して所在位置を特定することを特徴とする請求項１記載の測位装置。
【請求項３】
照度ごとにおける前記強度パターンごとの測位精度を記憶した記憶部と、
当該測位装置が受ける光の照度を測定する照度測定部と、
をさらに有し、
前記特定部は、前記照度測定部によって測定された照度に基づいて前記記憶部を参照し、前記強度パターンにおける測位精度を取得して所在位置を特定することを特徴とする請求項１記載の測位装置。
【請求項４】
測位信号送信装置の位置情報と送信する光の強度を示す強度情報とを含む異なる強度の複数の光信号を受信し、前記強度情報に基づいて受信した前記複数の光信号における前記強度情報の組み合わせを示す強度パターンを取得し、取得した前記強度パターンと前記位置情報とに基づいて、前記複数の光信号のうち、最も強度の小さい第１の強度の第１の光信号の第１の照射範囲と、前記第１の強度より小さい第２の強度の未受信の第２の光信号の第２の照射範囲との間が所在位置であることを特定する測位装置に対して、
前記複数の光信号を出力する発光部、
を有することを特徴とする測位信号送信装置。
【請求項５】
測位信号送信装置から前記測位信号送信装置の位置情報と送信する光の強度を示す強度情報とを含む異なる強度の複数の光信号を受信し、
前記強度情報に基づいて受信した前記複数の光信号における前記強度情報の組み合わせを示す強度パターンを取得し、
取得した前記強度パターンと前記位置情報とに基づいて、前記複数の光信号のうち、最も強度の小さい第１の強度の第１の光信号の第１の照射範囲と、前記第１の強度より小さい第２の強度の未受信の第２の光信号の第２の照射範囲との間が所在位置であることを特定する、
ことを特徴とする測位方法。
【請求項６】
測位信号送信装置の位置情報と送信する光の強度を示す強度情報とを含む異なる強度の複数の光信号を受信し、前記強度情報に基づいて受信した前記複数の光信号における前記強度情報の組み合わせを示す強度パターンを取得し、取得した前記強度パターンと前記位置情報とに基づいて、前記複数の光信号のうち、最も強度の小さい第１の強度の第１の光信号の第１の照射範囲と、前記第１の強度より小さい第２の強度の未受信の第２の光信号の第２の照射範囲との間が所在位置であることを特定する測位装置に対して、
前記複数の光信号を出力する、
ことを特徴とする測位信号送信方法。
【発明の詳細な説明】
【技術分野】
【０００１】
本件は、所在位置を測定する測位装置、測位信号送信装置、測位方法、および測位信号送信方法に関する。
【背景技術】
【０００２】
自動車のカーナビゲーション装置や携帯電話等に搭載されるナビゲーション装置は、種々の測位技術を用いて現在位置を測位している。測位技術には、例えば、ＧＰＳ（Global Positioning System）、赤外線、磁気、または微弱電波等を利用して現在位置を測位する他律測位技術、物理センサを用いてユーザ等の移動方向や移動距離を測定して現在位置を測位する自律測位技術がある。
【０００３】
また、ナビゲーション装置には、測位精度を補うために、マップマッチング技術を組み合わせたものがある。例えば、車両の走行する軌跡は、道路形状に制限される。そこで、各種センサから得られる車両の軌跡と道路形状とを比較し、軌跡と一致する道路形状を現在位置として補正を行う。
【０００４】
ところで、赤外線による測位技術は、赤外線の照射範囲によって測位精度が決まる。例えば、照射範囲が狭ければ測位精度は上がり、照射範囲が広がれば測位精度は下がる。具体的には、赤外線の照射範囲が狭ければ、その狭い照射範囲で利用者等の位置を特定できるため測位精度が上がる。
【先行技術文献】
【特許文献】
【０００５】
【特許文献１】特開２０００−１１１６４８号公報
【特許文献２】特公平７−１１２４７９号公報
【特許文献３】特開平８−１９０６８８号公報
【発明の概要】
【発明が解決しようとする課題】
【０００６】
しかし、光信号は、例えば、太陽光等による外乱の影響を受けることがあり、照射強度を上げると照射範囲が広くなり測位精度が下がるという問題点があった。
【課題を解決するための手段】
【０００７】
上記課題を解決するために、測位装置が提供される。この測位装置は、測位信号送信装置から前記測位信号送信装置の位置情報と送信する光の強度を示す強度情報とを含む複数の異なる強度の光信号を受信する受光部と、前記強度情報に基づいて前記受光部の受信した前記光信号の強度パターンを取得し、取得した前記強度パターンと前記位置情報とに基づいて所在位置を特定する特定部と、を有する。
【０００８】
また、上記課題を解決するために、測位信号送信装置が提供される。この測位信号送信装置は、位置情報と送信する光の強度を示す強度情報とを含む複数の異なる強度の光信号を出力する発光部、を有する。
【発明の効果】
【０００９】
開示の装置および方法によれば、測位精度を向上することができる。
【図面の簡単な説明】
【００１０】
【図１】第１の実施の形態に係る測位システムを示した図である。
【図２】第２の実施の形態に係る測位システムを示した図である。
【図３】異なる強度の赤外線による測位を説明する図である。
【図４】受信状況および測位精度の関係を示した図である。
【図５】異なる照度における測位精度の関係を示している。
【図６】受信する赤外線の強度パターンと所在位置の特定を説明する図のその１である。
【図７】受信する赤外線の強度パターンと所在位置の特定を説明する図のその２である。
【図８】測位システムの別の適用例を示した図のその１である。
【図９】測位システムの別の適用例を示した図のその２である。
【図１０】測位システムの別の適用例を示した図のその３である。
【図１１】測位信号送信装置のブロック図である。
【図１２】測位信号送信装置の別のブロック図である。
【図１３】測位装置のブロック図である。
【図１４】測位装置の動作を示したフローチャートである。
【図１５】ＧＰＳ信号処理の詳細を示したフローチャートである。
【図１６】赤外線処理の詳細を示したフローチャートである。
【図１７】第３の実施の形態に係る測位装置のブロック図である。
【図１８】第４の実施の形態に係る測位装置のブロック図である。
【図１９】第５の実施の形態に係る測位信号送信装置のブロック図である。
【図２０】第６の実施の形態に係る測位装置のブロック図である。
【図２１】第７の実施の形態に係る測位装置のブロック図である。
【発明を実施するための形態】
【００１１】
以下、実施の形態を、図面を参照して詳細に説明する。
［第１の実施の形態］
図１は、第１の実施の形態に係る測位システムを示した図である。図１には、測位装置１、街路灯２、および測位信号送信装置３が示してある。測位信号送信装置３は、例えば、街路灯２に取り付けられている。測位装置１は、例えば、ユーザＡ１に所持され、ユーザＡ１に所在位置を知らせる。
【００１２】
測位信号送信装置３は、発光部３ａを有している。発光部３ａは、位置情報と強度情報とを含む複数の異なる強度の光信号を出力する。
位置情報は、測位信号送信装置３の設置されている位置を示している。例えば、位置情報は、測位信号送信装置３の設置されている緯度および経度を示している。
【００１３】
強度情報は、発光部３ａの出力する光信号の強度を示している。例えば、発光部３ａは、図１に示すように、‘強’、‘中’、‘弱’の３つの異なる強度の光信号を出力する。この場合、‘強’の光信号には、当該光信号が‘強’であることを示す強度情報が含められる。また、‘中’の光信号には、当該光信号が‘中’であることを示す強度情報が含められる。また、‘弱’の光信号には、当該光信号が‘弱’であることを示す強度情報が含められる。
【００１４】
図１に示す同心円Ｂ１は、測位装置１がユーザＡ１によって所持される高さにおける、発光部３ａの出力する光信号の照射範囲を示している。例えば、同心円Ｂ１の最も大きい円は、強度‘強’の光信号の照射範囲を示し、２番目に大きい円は、強度‘中’の光信号の照射範囲を示し、最も小さい円は、強度‘弱’の光信号の照射範囲を示している。同心円の中心は、測位信号送信装置３の設置されている位置（緯度および経度）となる。
【００１５】
測位装置１は、受光部１ａおよび特定部１ｂを有している。受光部１ａは、測位信号送信装置３が出力する複数の異なる強度の光信号を受信する。
特定部１ｂは、受光部１ａの受信した光信号に含まれる強度情報に基づいて、受光部１ａの受信した光信号の強度パターンを取得する。特定部１ｂは、取得した強度パターンと、受信した光信号に含まれている測位信号送信装置３の位置情報とによって、当該測位装置１の所在位置を特定する。
【００１６】
例えば、図１の例の場合、受光部１ａの受信する光信号の強度パターンには、‘強’のみの光信号を受信する強度パターンＰ１と、‘強’、‘中’の光信号を受信する強度パターンＰ２と、‘強’、‘中’、‘弱’の光信号を受信する強度パターンＰ３とがある。ユーザＡが同心円Ｂ１の最も大きい円と２番目に大きい円の間に所在していれば、特定部１ａの取得する強度パターンはＰ１（‘強’）となる。また、ユーザＡが同心円Ｂ１の２番目大きい円と最も小さい円の間に所在していれば、特定部１ｂの取得する強度パターンはＰ２（‘強’、‘中’）となる。また、ユーザＡが同心円Ｂ１の最も小さい円内に所在していれば、特定部１ｂの取得する強度パターンはＰ３（‘強’、‘中’、‘弱’）となる。
【００１７】
特定部１ｂは、受信された光信号に含まれている位置情報により、光信号の照射範囲の中心位置（同心円Ｂ１の中心位置）を特定できる。そして、特定部１ｂは、強度パターンＰ１（‘強’）を取得した場合には、同心円Ｂ１の最も大きい円と２番目に大きい円の間の範囲内に所在していると特定できる。また、特定部１ｂは、強度パターンＰ２（‘強’、‘中’）を取得した場合には、同心円Ｂ１の２番目に大きい円と最も小さい円の間の範囲に所在していると特定できる。さらに、特定部１ｂは、強度パターンＰ３（‘強’、‘中’、‘弱’）を取得した場合には、同心円Ｂ１の最も小さい円の範囲内に所在していると特定できる。
【００１８】
すなわち、特定部１ｂは、例えば、‘強’のみの光信号を受信した場合、最も大きい円内に所在していると特定するとともに、さらに、２番目に大きい円より外に所在していると特定（限定）することができる。
【００１９】
このように、測位信号送信装置３は、異なる強度の光信号を出力し、測位装置１は、異なる強度の光信号の強度パターンによって、所在位置を特定する。これにより、測位装置１は、所在位置の測位精度を向上することができる。
【００２０】
［第２の実施の形態］
次に、第２の実施の形態を、図面を参照して詳細に説明する。
図２は、第２の実施の形態に係る測位システムを示した図である。図２には、ユーザＡ１１の位置を測位する測位装置１１が示してある。測位装置１１は、例えば、携帯電話等に組み込んでもよい。
【００２１】
図２に示すように、歩道に街路灯１２が設置されている。街路灯１２には、赤外線を出力する測位信号送信装置１３が取り付けてある。また、上空には、ＧＰＳ衛星１４ａ〜１４ｃが飛行している。
【００２２】
測位装置１１は、例えば、加速度センサや方位センサ等の物理センサを有しており、ユーザＡ１１の歩数や歩く方向を測定して自分の所在位置を測位する。すなわち、測位装置１１は、測位装置１１を所持しているユーザＡ１１の所在位置を測位する。また、測位装置１１は、ＧＰＳ衛星１４ａ〜１４ｃから送信されるＧＰＳ信号を受信して所在位置を測位する。また、測位装置１１は、測位信号送信装置１３から送信される赤外線を受信して所在位置を測位する。
【００２３】
測位装置１１は、物理センサによって自分の位置を測位するが、ＧＰＳ信号を受信することができれば、ＧＰＳ信号によって自分の位置を測位する。また、測位装置１１は、測位信号送信装置１３から送信される赤外線を受信することができれば、その赤外線によって自分の位置を測位する。
【００２４】
従って、ユーザＡ１１は、例えば、測位信号送信装置１３の近くを歩いておらず、赤外線を受信できない場合でも、ＧＰＳ信号を受信していれば、ＧＰＳ信号によって所在位置を知ることができる。また、ユーザＡ１１は、ＧＰＳ信号を受信できない場所を歩いていても、物理センサによる測位によって所在位置を知ることができる。
【００２５】
測位信号送信装置１３は、複数の異なる強度の赤外線を出力する。例えば、測位信号送信装置１３は、図２に示すように‘強’、‘中’、‘弱’の３つの異なる強度の赤外線を出力する。もちろん、測位信号送信装置１３から出力する光信号は、赤外線に限るものでなく、その他の波長の光信号を出力するようにしてもよい。また、測位信号送信装置１３は、４以上の異なる強度の赤外線を出力してもよい。
【００２６】
測位信号送信装置１３の出力する赤外線には、測位信号送信装置１３の設置されている位置情報が含まれている。位置情報は、例えば、測位信号送信装置１３の設置されている緯度、経度、および地上からの高さである。測位装置１１は、受信した赤外線に含まれる位置情報によって、自分の位置を測位することができる。
【００２７】
また、測位信号送信装置１３の出力する赤外線には、その赤外線の強度を示す強度情報が含まれている。例えば、赤外線の強度は、‘強’、‘中’、‘弱’という情報で示される。または、赤外線の強度は、例えば、赤外線を出力する発光部の要した電流値で示される。例えば、上記した‘強’の赤外線には、例えば、‘５００（ｍＡ）’という情報が含まれ、‘中’の赤外線には、‘３００（ｍＡ）’という情報が含まれ、‘弱’の赤外線には、‘１５０（ｍＡ）’という情報が含まれる。
【００２８】
また、測位信号送信装置１３の出力する赤外線には、測位信号送信装置１３の測定した照度情報が含まれている。測位信号送信装置１３の測定する照度情報とは、測位信号送信装置１３の受ける太陽光や周囲の街路灯等が発光する周囲環境の光の照度である。測位装置１１は、以下で詳述するが、受信した赤外線に含まれる位置情報、強度情報、および照度情報に基づいて、所在位置の測位精度を向上する。
【００２９】
なお、図２では、測位信号送信装置１３は、街路灯１２に取り付けられるとしたがこれに限るものではない。例えば、測位装置１１が、上方から赤外線を受けることができればよく、電柱等に取り付けてもよい。
【００３０】
図３は、異なる強度の赤外線による測位を説明する図である。図３には、図２の一部が示してある。図３において、図２と同じものには同じ符号を付し、その説明を省略する。
図３に示す点線Ｂ１１は、測位信号送信装置１３から出力される赤外線の広がり方を示している。測位信号送信装置１３から出力される赤外線は、点線Ｂ１１に示すように、測位信号送信装置１３から離れるに従って広がり、ある距離を超えると減衰して小さくなっていく。
【００３１】
図３に示す同心円Ｂ１２は、ユーザＡ１１の持っている測位装置１１の高さにおける赤外線の広がりの断面を示している。すなわち、同心円Ｂ１２は、測位装置１１が位置している高さでの赤外線の照射範囲を示している。同心円Ｂ１２の最も大きい円は、強度が‘強’の赤外線の照射範囲を示しており、２番目に大きい円は、強度が‘中’の赤外線の照射範囲を示しており、同心円Ｂ１２の最も小さい円は、強度が‘弱’の赤外線の照射範囲を示している。
【００３２】
図３に示すＬは、測位信号送信装置１３から測位装置１１までの距離を示している。
図３に示すＲは、赤外線の通信可能領域を示している。例えば、測位装置１１は、強度‘強’の赤外線を、同心円Ｂ１２の最も大きい円の範囲内で通信（受信）することができる。測位装置１１は、強度‘中’の赤外線を、同心円Ｂ１２の２番目に大きい円の範囲内で受信することができる。測位装置１１は、強度‘弱’の赤外線を、同心円Ｂ１２の最も小さい円の範囲内で受信することができる。
【００３３】
従って、強度‘強’の赤外線の通信可能領域‘Ｒ’は、最も大きい円の内部となる。強度‘中’の赤外線の通信可能領域‘Ｒ’は、２番目に大きい円の内部となる。強度‘弱’の赤外線の通信可能領域‘Ｒ’は、最も小さい円の内部となる。
【００３４】
このように、赤外線の強度が小さいほど、測位装置１１の通信可能領域は小さくなり、これにより、ユーザＡ１１の所在位置を特定する範囲を限定することができ、測位精度は上がる。
【００３５】
図４は、受信状況および測位精度の関係を示した図である。図４に示す‘６０ｋｌｘ〜１１０ｋｌｘ’は、測位信号送信装置１３が受ける（測定する）照度を示している。この照度は、日中の晴天下の明るさに相当する。
【００３６】
図４に示す‘１５０ｍＡ’，‘３００ｍＡ’，‘５００ｍＡ’は、測位信号送信装置１３の出力する赤外線の強度を示している。この数値は、赤外線を発光する発光部の要する電流（パルス電流）値を示している。なお、赤外線の波長は９４０ｎｍとした。また、各電流値における赤外線の放射強度は、８０ｍＷ／ｓｒ、１２０ｍＷ／ｓｒ、１８０ｍＷ／ｓｒである。
【００３７】
図４に示す測位精度は、測位信号送信装置１３が‘６０ｋｌｘ〜１１０ｋｌｘ’の照度の場所に設置されたときの測位装置１１の測位精度を示している。図４の測位精度は、図３のＬがＬ＝５００ｃｍの場合の測位精度が示してある。
【００３８】
例えば、図４より、測位装置１１が‘１５０ｍＡ’，‘３００ｍＡ’，‘５００ｍＡ’の全ての赤外線を受信した場合、測位精度は０．２ｍである。よって、測位装置１１は、測位信号送信装置１３の設置位置（緯度および経度）から、半径０．２ｍの円内に所在していると特定できる。
【００３９】
また、図４より、測位装置１１が‘５００ｍＡ’の赤外線のみを受信した場合、測位精度は１．０ｍである。よって、測位装置１１は、測位信号送信装置１３の設置位置から、少なくとも、半径１．０ｍの円内に所在していると特定できる。
【００４０】
図４の‘パターン１’，‘パターン２’，‘パターン３’は、測位装置１１が受信する赤外線の強度のパターンを示している。例えば、測位装置１１が‘１５０ｍＡ’，‘３００ｍＡ’，‘５００ｍＡ’の強度の赤外線を受信した場合のパターンを‘パターン１’としている。また、測位装置１１が‘３００ｍＡ’，‘５００ｍＡ’の強度の赤外線を受信した場合のパターンを‘パターン２’としている。測位装置１１が‘５００ｍＡ’の強度の赤外線を受信した場合のパターンを‘パターン３’としている。
【００４１】
なお、図６および図７で説明するが、測位装置１１は、異なる強度の赤外線を受信するパターンによって、さらに、測位精度を向上する。
図５は、異なる照度における測位精度の関係を示している。図５の各欄の意味は、図４と同様であるのでその説明を省略する。なお、図５もＬ＝５００ｃｍの場合の測位精度が示してある。
【００４２】
図５には、‘５００ｌｘ〜７００ｌｘ’における照度での測位精度が示してある。この照度は、トンネル内や夜間の街路灯下、照明機器使用時の屋内の明るさに相当する。
図４および図５に示すように、測位信号送信装置１３の受ける照度によって、測位装置１１の測位精度が変わる。すなわち、測位信号送信装置１３の受ける照度が変われば、測位信号送信装置１３の出力する赤外線の照射範囲が変わり、測位装置１１の測位精度が変わる。
【００４３】
そこで、測位信号送信装置１３は、ユーザＡ１１が測位装置１１を用いるであろう高さでの測位精度が一定となるように、照度に基づいて赤外線の強度を変える。例えば、測位信号送信装置１３は、測位装置１１との距離がＬ＝５００ｃｍにおける測位精度が一定となるように、赤外線の強度を変える。
【００４４】
例えば、測位装置１１の受信する赤外線が‘強’のみの場合における測位精度を‘１．０ｍ’に設定するとする。この場合、測位信号送信装置１３は、図４および図５の情報に基づき、晴天下における赤外線‘強’の出力を‘５００ｍＡ’に設定し、夜間における赤外線‘強’の出力を‘３００ｍＡ’に設定する。これにより、測位装置１１の赤外線‘強’における測位精度は、周囲の照度環境によらず、‘１．０ｍ’と一定にすることができる。
【００４５】
このように、測位信号送信装置１３は、測位装置１１の測位精度が一定となるように、照度に基づいて赤外線の強度を可変する。これにより、測位装置１１は、各パターンにおける測位精度を予め認識しておくことにより、自分の位置を特定することができる。
【００４６】
図６は、受信する赤外線の強度パターンと所在位置の特定を説明する図のその１である。測位装置１１は、受信する赤外線の強度パターンによって、所在位置をさらに限定することができる。
【００４７】
図６の（Ａ）には、受信する赤外線の強度パターンがパターン１の場合の位置の特定範囲を示している。図６の（Ｂ）には、受信する赤外線の強度パターンがパターン２の場合の位置の特定範囲を示している。図６の（Ｃ）には、受信する赤外線の強度パターンがパターン３の場合の位置の特定範囲を示している。
【００４８】
例えば、測位装置１１は、赤外線をパターン１で受信した場合、図６の（Ａ）の斜線を付した部分にユーザＡ１１が所在していると特定できる。
また、測位装置１１は、赤外線をパターン２で受信した場合、強度‘弱’の赤外線を受信していないため、図６の（Ｂ）に示す最も小さい円の部分には、所在していないと判断できる。すなわち、測位装置１１は、図６の（Ｂ）の斜線を付した部分にユーザＡ１１が所在していると限定できる。
【００４９】
また、測位装置１１は、赤外線をパターン３で受信した場合、強度‘中’、‘弱’の赤外線を受信していないため、図６の（Ｂ）に示す２番目に大きい円内部分には、所在していないと判断できる。すなわち、測位装置１１は、図６の（Ｃ）の斜線を付した部分にユーザＡ１１が所在していると特定できる。
【００５０】
すなわち、測位装置１１は、測位信号送信装置１３から受信した複数の異なる強度の赤外線のうち、最も強度の小さい赤外線の照射範囲と、その赤外線の強度より１段階強度の小さい、測位信号送信装置１３から受信していない赤外線の照射範囲との間に所在していると特定する。例えば、測位装置１１は、強度‘強’、‘中’の赤外線を測位信号送信装置１３から受信した場合、そのうちの最も強度の小さい強度‘中’の赤外線の照射範囲と、その‘中’の赤外線の強度より１段階強度の小さい、測位信号送信装置１３から受信していない強度‘弱’の赤外線の照射範囲との間に所在していると特定する。
【００５１】
また、測位装置１１は、測位信号送信装置１３から受信した最も強度の小さい赤外線の強度が、測位信号送信装置１３から送信される赤外線のうちの最も小さい強度であった場合、受信した最も強度の小さい赤外線の照射範囲内に所在していると特定する。例えば、測位装置１１は、強度‘強’、‘中’、‘弱’の赤外線を測位信号送信装置１３から受信した場合、測位信号送信装置１３から送信される赤外線のうちの最も小さい強度‘弱’の照射範囲内に所在していると特定する。
【００５２】
このように、測位装置１１は、異なる強度の赤外線を受信することにより、測位精度の向上を図ることができる。例えば、図６の（Ｂ）のように、ユーザＡ１１の所在位置を２番目に大きい円と最も小さい円の間に所在していると限定することができる。また、図６の（Ｃ）に示すように、ユーザＡ１１の所在位置を２番目に大きい円と最も大きい円の間に所在していると限定することができる。
【００５３】
なお、各強度の赤外線の照射範囲の大きさ（図６に示す同心円の各円の半径）は、図４および図５の測位精度より分かる。
図７は、受信する赤外線の強度パターンと所在位置の特定を説明する図のその２である。測位装置１１は、物理センサを有している。従って、測位装置１１は、物理センサと赤外線で特定した所在位置とによって、ユーザの所在位置をさらに特定（限定）することができる。
【００５４】
図７の上方の方角を北とする。測位装置１１は、物理センサによって、ユーザＡ１１の歩いている方角を認識することができる。例えば、図７の（Ａ）に示すように、ユーザＡ１１は、西から東に歩いているとする。
【００５５】
この場合において、測位装置１１は、強度‘強’の赤外線のみを受信すると、ユーザＡ１１は図７の（Ａ）の斜線部分にいると限定することができる。すなわち、測位装置１１は、赤外線の測位結果によって、図７の（Ａ）の最も大きい円と２番目に大きい円の間にユーザＡ１１が所在していると判断できる。そして、測位装置１１は、物理センサによって、ユーザＡ１１の歩いている方向を取得することにより、赤外線で特定したユーザＡ１１の所在位置から、図７の（Ａ）の最も大きい円と２番目に大きい円の左半分（西側半分）に所在していると限定できる。
【００５６】
同様に、測位装置１１は、受信する赤外線の強度パターンがパターン２になった場合、図７の（Ｂ）に示すように、２番目に大きい円と最も小さい円の間の左半分に所在していると限定することができる。
【００５７】
さらに、測位装置１１は、受信する赤外線の強度パターンがパターン１にならずに、パターン３となった場合には、図７の（Ｃ）の斜線部分にユーザＡ１１が所在していると限定することができる。
【００５８】
一方、測位装置１１は、パターン３のみで通信可能領域を通過した場合、図７の（Ｄ）に示す斜線の位置に限定することができる。
図８は、測位システムの別の適用例を示した図のその１である。図８には、歩道２１が示してある。歩道２１には、植樹帯２２および停留所２３が設けられている。
【００５９】
歩道２１には、例えば、図示していない街路灯が設けられている。街路灯１２には、図示していない測位信号送信装置が取り付けられており、例えば、３つの異なる強度の赤外線を出力している。図８に示す照射範囲Ｂ２１，Ｂ２２は、測位装置１１の高さにおける３つの強度の赤外線の照射範囲を示している。
【００６０】
図８では、測位信号送信装置１３は、強度の異なる赤外線を同心円とならないように出力している。例えば、測位信号送信装置１３は、強度の異なる赤外線の照射範囲の円周上の一点が重なるように、赤外線を出力している。
【００６１】
このように、強度の異なる赤外線を同心円とならないように出力することによって、植樹帯２２や停留所２３のような歩道幅が変更されることをユーザＡ１１に報知する用途に用いることができる。
【００６２】
例えば、測位信号送信装置１３は、照射範囲Ｂ２１，Ｂ２２に示すように、歩道幅の変わる部分から、赤外線の強度が徐々に大きくなるように、赤外線を出力する。これにより、ユーザＡ１１が歩道幅の変わる部分に近い場所を歩いていれば、音や表示画面等でユーザＡ１１にその旨を通知でき、また、ユーザＡ１１が歩道幅の変わる部分から遠い場所を歩いていれば、音や表示画面等でユーザＡ１１にその旨を通知することができる。
【００６３】
図９は、測位システムの別の適用例を示した図のその２である。図９には、歩道３１が示してある。歩道３１には、視覚障害者用の誘導ブロック３２が示してある。
歩道３１には、例えば、図示していない街路灯が設けられている。街路灯１２には、図示していない測位信号送信装置が取り付けられており、例えば、３つの異なる強度の赤外線を出力している。図９に示す照射範囲Ｂ３１〜Ｂ３３は、測位装置１１の高さにおける３つの強度の赤外線の照射範囲を示している。
【００６４】
照射範囲Ｂ３１〜Ｂ３３に示すように、測位信号送信装置１３は、誘導ブロック３２上に強度‘弱’の赤外線を出力する。そして、測位信号送信装置１３は、照射範囲が同心円となるように、赤外線を出力する。
【００６５】
これにより、測位装置１１は、ユーザＡ１１を誘導ブロック３２上に誘導できる。例えば、図７で示したように、測位装置１１は、強度の異なる赤外線を受信することにより、ユーザＡ１１の所在位置を限定することができるので、ユーザＡ１１が誘導ブロック３２上を歩いているか、誘導ブロック３２の外を歩いているのか判断することができる。従って、測位装置１１は、例えば、音等によって、ユーザＡ１１が誘導ブロック３２上を歩いているか否か通知することができる。
【００６６】
もちろん、図９の適用例は、視覚障害者用の誘導ブロック３２に限定されず、経路案内等にも適用できる。
図１０は、測位システムの別の適用例を示した図のその３である。図１０には、測位装置１１の表示装置に表示されるマップが示してある。表示装置には、車道４１および歩道４２（図１０の斜線部分）が示してある。
【００６７】
図１０の丸は、歩道４２に設けられている街路灯１２の位置を示している。街路灯１２には、測位信号送信装置１３が取り付けられている。
測位装置１１は、物理センサや市販のＧＰＳでは、測位精度が低いため、ユーザＡ１１が歩道４２を歩いていた場合でも、点線矢印Ｂ４１に示すように、車道４１上にユーザＡ１１が歩いていると判断する場合がある。
【００６８】
しかし、測位装置１１は、赤外線による測位信号送信装置１３によって、歩道４２上にマップマッチングできる。すなわち、測位装置１１は、赤外線に含まれる位置情報等によって、地図上の適切な位置へマッチングすることができる。例えば、図１０の点線矢印Ｂ４１を矢印Ｂ４２の位置へ補正できる。また、測位装置１１は、道路形状に制限されない歩行者のマップマッチングが可能となる。
【００６９】
図１１は、測位信号送信装置のブロック図である。図１１に示すように、測位信号送信装置１３は、記憶部５１、照度計測部５２、制御部５３、および発光部５４を有している。
【００７０】
記憶部５１は、例えば、図４および図５で示した照度、赤外線の出力に要する電流値、および測位精度の情報を記憶している。図４および図５では、２種類の照度における電流値および測位精度の情報を示したが、記憶部５１は、複数種類の照度における電流値および測位精度の情報を記憶するようにしてもよい。
【００７１】
照度計測部５２は、測位信号送信装置１３の受ける照度を測定する。
制御部５３は、照度計測部５２の測定した照度に基づいて記憶部５１を参照し、発光部５４の出力する異なる強度の赤外線のそれぞれの測位精度が一定となるように制御する。
【００７２】
例えば、記憶部５１には、図４および図５に示した照度、電流値、および測位精度の情報を記憶しているとする。この場合、制御部５３は、照度計測部５２の測定した照度に基づいて、記憶部５１に記憶されている電流値および測位精度を参照し、晴天下時に出力する‘強’、‘中’、‘弱’の赤外線のそれぞれの測位精度と、夜間時に出力する‘強’、‘中’、‘弱’の赤外線のそれぞれの測位精度とが同じになるように発光部５４を制御する。
【００７３】
発光部５４は、制御部５３の制御に基づいて、複数の強度の異なる赤外線を出力する。発光部５４は、例えば、図３の同心円Ｂ１２に示すように、異なる強度の赤外線の中心が一致するように、赤外線を出力する。または、発光部５４は、図８の照射範囲Ｂ２１，Ｂ２２に示すように、各赤外線の照射範囲の円の一点が一致するように、赤外線を出力する。発光部５４は、例えば、稼動装置を有し、強度の異なる赤外線のそれぞれの出力方向を可変し、同心円Ｂ１２または照射範囲Ｂ２１，Ｂ２２に示すように変更することもできる。発光部５４の出力する強度の異なる赤外線のそれぞれには、位置情報、強度情報、および照度情報が含まれる。
【００７４】
なお、以下で詳述するが、照度情報は、制御部５３が複数の赤外線のそれぞれの測位精度を一定となるように制御しない場合に、測位装置１１によって利用される。従って、制御部５３が複数の赤外線のそれぞれの測位精度を一定となるように制御する場合には、照度情報は必ずしも赤外線に含めなくてもよい。
【００７５】
図１２は、測位信号送信装置の別のブロック図である。図１２において、図１１と同じものには同じ符号を付し、その説明を省略する。測位信号送信装置１３は、太陽電池６１および蓄電池６２を有している。
【００７６】
太陽電池６１は、太陽光や街路灯等の周囲環境から発せられる光を受光し、それを電力に変換する。太陽電池６１は、変換した電力を蓄電池６２に蓄電する。
太陽電池６１は、受光する光の照度に応じた電力を蓄電池６２に出力する。よって、制御部５３は、太陽電池６１の出力する電力をモニタすることにより、測位信号送信装置１３の受ける照度を知ることができる。制御部５３は、図１１の説明と同様に、太陽電池６１による照度に基づいて記憶部５１を参照し、発光部５４の出力する異なる強度の赤外線のそれぞれの測位精度が一定となるように制御する。
【００７７】
図１３は、測位装置のブロック図である。図１３に示すように、測位装置１１は、ＧＰＳ受信部７１、加速度センサ７２、方位センサ７３、受光部７４、位置特定部７５、位置情報伝達部７６、および記憶部７７を有している。
【００７８】
ＧＰＳ受信部７１は、ＧＰＳ衛星１４ａ〜１４ｃからＧＰＳ信号を受信する。
加速度センサ７２は、測位装置１１に加わる加速度を測定する。
方位センサ７３は、測位装置１１の方位を測定する。
【００７９】
受光部７４は、測位信号送信装置１３から出力される強度の異なる複数の赤外線を受光する。
位置特定部７５は、ＧＰＳ受信部７１の受信したＧＰＳ信号によって測位装置１１の所在位置を特定する。
【００８０】
また、位置特定部７５は、加速度センサ７２および方位センサ７３の測定した加速度および方位によって、測位装置１１の所在位置を特定する。例えば、位置特定部７５は、加速度センサ７２の測定した加速度によって、測位装置１１を所持しているユーザＡ１１の歩数をカウントして移動距離を算出し、また、方位センサ７３の測定した方位によって、測位装置１１の所在位置を特定する。
【００８１】
また、位置特定部７５は、受光部７４の受光した赤外線によって、測位装置１１の所在位置を特定する。例えば、位置特定部７５は、受光部７４によって受信された赤外線に含まれる強度情報によって、受光された赤外線の強度パターンを取得する。また、位置特定部７５は、受光部７４によって受光された赤外線に含まれる位置情報によって、測位装置１１の所在位置の中心（同心円の中心）を特定する。そして、位置特定部７５は、取得した強度パターンと、測位装置１１の所在位置の中心とによって、図６等で説明したように、測位装置１１の所在位置を特定する。
【００８２】
また、位置特定部７５は、図７で説明したように、赤外線による所在位置と、物理センサ（加速度センサ７２および方位センサ７３）による所在位置とによって、測位装置１１の所在位置を特定する。
【００８３】
位置情報伝達部７６は、位置特定部７５によって特定された所在位置を、例えば、表示装置に伝達する。表示装置は、位置情報伝達部７６から受信した所在位置を表示画面に表示する。また、位置情報伝達部７６は、位置特定部７５によって特定された所在位置を、例えば、スピーカ等の音声装置に伝達する。音声装置は、位置情報伝達部７６から受信した所在位置に応じた音声や音を出力する。
【００８４】
記憶部７７には、位置特定部７５の特定した位置情報が記憶される。位置特定部７５は、例えば、記憶部７７に記憶された位置情報と、加速度センサ７２および方位センサ７３によって得られる移動距離および移動方向に基づいて、測位装置１１の現在の所在位置を特定することができる。なお、物理センサでは、測位装置１１の相対位置が求まる。従って、測位装置１１は、最初に絶対位置を決めるために、他律測位であるＧＰＳや赤外線によって、所在位置を取得する。
【００８５】
図１４は、測位装置の動作を示したフローチャートである。
［ステップＳ１］位置特定部７５は、記憶部７７から、最後に特定した所在位置（緯度および経度）を読み込む。
【００８６】
［ステップＳ２］位置特定部７５は、物理センサによる測位を行う。すなわち、位置特定部７５は、加速度センサ７２および方位センサ７３によって測定された移動距離および移動方向と、記憶部７７から読み込んだ所在位置とから、現在の所在位置を特定する。
【００８７】
［ステップＳ３］ＧＰＳ受信部７１は、ＧＰＳ衛星１４ａ〜１４ｃからＧＰＳ信号を受信したか否か判断する。ＧＰＳ受信部７１は、ＧＰＳ信号を受信した場合、ステップＳ４へ進む。ＧＰＳ受信部７１は、ＧＰＳ信号を受信しなかった場合、ステップＳ５へ進む。
【００８８】
［ステップＳ４］位置特定部７５は、ＧＰＳ受信部７１によって受信されたＧＰＳ信号に基づいて、測位装置１１の所在位置を特定する。
［ステップＳ５］受光部７４は、測位信号送信装置１３から、赤外線を受信したか否か判断する。受光部７４は、赤外線を受信した場合、ステップＳ６へ進む。受光部７４は、赤外線を受信しなかった場合、ステップＳ７へ進む。
【００８９】
［ステップＳ６］位置特定部７５は、受光部７４によって受信された赤外線に基づいて、測位装置１１の所在位置を特定する。
［ステップＳ７］位置特定部７５は、特定した所在位置によって、測位装置１１のマップマッチングを行う。
【００９０】
なお、位置特定部７５は、ステップＳ２〜Ｓ６の処理より、例えば、ＧＰＳ信号および赤外線信号を受信できなかった場合、物理センサによって特定した所在位置によってマップマッチングを行うことになる。また、位置特定部７５は、例えば、ＧＰＳ信号のみ受信できなかった場合、赤外線によって特定した所在位置によってマップマッチングを行うことになる。
【００９１】
［ステップＳ８］位置情報伝達部７６は、位置特定部７５の特定した所在位置を、例えば、表示装置等に出力する。
［ステップＳ９］位置特定部７５は、位置特定の処理が終了したか否か判断する。例えば、位置特定部７５は、ユーザＡ１１によってナビゲーション操作が終了されたか、電源がオフにされたかによって、処理の終了を判断する。位置特定部７５は、処理を終了しない場合、ステップＳ２へ進む。
【００９２】
図１５は、ＧＰＳ信号処理の詳細を示したフローチャートである。図１５の処理は、図１４に示したステップＳ４の詳細な処理を示している。
［ステップＳ１１］位置特定部７５は、ＧＰＳ信号に含まれるＧＰＳ情報から現在所在位置を算出する。
【００９３】
［ステップＳ１２］位置特定部７５は、ＧＰＳ信号に含まれるパラメータから、位置精度劣化係数を算出する。位置特定部７５は、算出した位置精度劣化係数が、予め設定している閾値以下であれば、ステップＳ１３へ進む。位置特定部７５は、算出した位置精度劣化係数が、予め設定している閾値より大きければ、ステップＳ１４へ進む。
【００９４】
［ステップＳ１３］位置特定部７５は、ステップＳ１１で算出した所在位置を測位装置１１の所在位置として採用する。
［ステップＳ１４］位置特定部７５は、ステップＳ２で特定した測位装置１１の所在位置を現在の測位装置１１の所在位置として採用する。
【００９５】
なお、ステップＳ１２の閾値は、例えば、‘１’，‘２’に設定するのが好ましい。位置精度劣化係数と誤差との関係は、各種要因や測位方法によって異なるが、例えば、位置精度劣化係数が‘３’のときは、誤差は１５メートルである。位置精度劣化係数が‘６’のときは、誤差は３０メートルである。位置精度劣化係数が‘９’のときは、誤差は４５メートルである。閾値は、通信環境によって、変更してもよい。
【００９６】
図１６は、赤外線処理の詳細を示したフローチャートである。図１６の処理は、図１４に示したステップＳ６の詳細な処理を示している。
［ステップＳ２１］位置特定部７５は、受光部７４の受光した赤外線に含まれる強度情報から、受光部７４の受光している赤外線の強度パターンを取得する。
【００９７】
［ステップＳ２２］位置特定部７５は、取得した強度パターンと、受光された赤外線に含まれている位置情報とに基づいて、測位装置１１の現在の所在位置を特定する。例えば、図６に示すように、測位装置１１の所在位置を特定する。
【００９８】
［ステップＳ２３］位置特定部７５は、ステップＳ２２で特定した測位装置１１の所在位置と、物理センサで算出した所在位置とによって、測位装置１１の所在位置の精度を絞り込む。例えば、位置特定部７５は、図７で説明したように、測位装置１１の所在位置を絞り込む。
【００９９】
このように、測位信号送信装置１３は、異なる強度の赤外線を複数出力する。測位装置１１は、測位信号送信装置１３から受信する複数の赤外線の強度パターンによって、測位装置１１の所在位置を特定する。これにより、測位装置１１は、所在位置の測位精度を向上することができる。
【０１００】
また、測位装置１１は、物理センサによる所在位置と、赤外線による所在位置とによって、さらに、所在位置の測位精度を向上することができる。
また、歩行者に対するマップマッチングが可能となる。
【０１０１】
さらに、赤外線の波長を、屋内赤外線位置検出システムや光ビーコンに用いられる赤外域を使用すれば、これらの既存装置との連携が容易となる。
なお、測位装置１１は、測位信号送信装置１３が測位精度を一定となるように制御しなくても、自分の所在位置を特定することが可能である。例えば、測位装置１１は、図４および図５に示した情報を記憶部に記憶しておく。図２で説明したように、測位信号送信装置１３から出力される赤外線には、照度情報が含まれる。これにより、測位装置１１は、測位信号送信装置１３から受信した赤外線の強度情報と照度情報とによって、図４および図５に示した情報を参照し、測位精度を取得することができる。そして、測位装置１１は、測位信号送信装置１３の緯度および経度からどの範囲に位置しているか測位することができる。
【０１０２】
より具体的には、測位装置１１は、測位信号送信装置１３から‘強’、‘中’、‘弱’の強度の赤外線を受信したとする。また、測位装置１１は、測位信号送信装置１３から‘６００ｌｘ’の照度情報を受信したとする。この場合、測位装置１１は、図５に示した情報を参照して、測位精度‘０．８ｍ’を取得し、測位信号送信装置１３の位置から半径０．８ｍの範囲内に位置していると算出する。そして、測位装置１１は、図６で説明したように、受信した赤外線の強度パターンによって、算出した測位精度をさらに向上させることができる。また、測位装置１１は、図７で説明したように、物理センサによって算出した所在位置によって、さらに測位精度を向上させることができる。
【０１０３】
また、測位装置１１は、測位信号送信装置１３と当該測位装置１１との複数の距離における測位精度の情報を記憶部７７に記憶するようにしてもよい。例えば、測位装置１１は、複数の距離における図４および図５の情報を記憶部７７に記憶する。位置特定部７５は、例えば、ユーザＡ１１から入力されたユーザＡ１１の身長と、測位信号送信装置１３から送信される赤外線の位置情報に含まれる測位信号送信装置１３の高さ情報とから、ユーザＡ１１が測位装置１１を用いる高さを算出する。すなわち、図３で説明した‘Ｌ’の値を算出する。そして、位置特定部７５は、算出したＬに基づいて記憶部７７を参照し、ユーザＡ１１が測位装置１１を用いる高さでの測位精度（赤外線の照射範囲の半径）を取得する。これにより、測位装置１１は、ユーザＡ１１によって用いられる高さに応じて、適切に所在位置を特定できる。
【０１０４】
なお、測位信号送信装置１３は、上記したように測位精度を一定となるように制御する場合には、赤外線に照度情報を含めなくてよい。また、上記したように測位精度を一定となるように制御する場合には、赤外線に測位信号送信装置１３の高さ情報を含めなくてよい。
【０１０５】
［第３の実施の形態］
次に、第３の実施の形態を、図面を参照して詳細に説明する。第３の実施の形態では、測位装置１１は、ＧＰＳの代わりにＰＨＳ（Personal Handy-phone System）の通信システムを利用して、測位装置の位置を特定する。
【０１０６】
図１７は、第３の実施の形態に係る測位装置のブロック図である。図１７において、図１３と同じものには同じ符号を付し、その説明を省略する。測位装置１１は、図１３の測位装置１１のＧＰＳ受信部７１に対して、ＰＨＳ受信部８１を有している。
【０１０７】
ＰＨＳ受信部８１は、ＰＨＳの中継器から電波を受信する。
位置特定部７５は、ＰＨＳ受信部８１の受信した電波によって測位装置１１の所在位置を特定する。例えば、位置特定部７５は、ＰＨＳ受信部８１の受信した電波によって、どの中継局に属しているか判断する。記憶部７７には、中継局がどの位置（例えば、緯度および経度）に配置されているかのマップ情報が記憶されており、位置特定部７５は、属している中継局に基づいて記憶部７７のマップ情報を参照し、所在位置を特定する。
【０１０８】
このように、測位装置１１は、ＰＨＳの電波を受信することによっても、所在位置を特定することができる。
また、ＰＨＳの中継局は、人口密度の高いエリアに多く配置され、ＧＰＳ信号の届きにくいビル街や高架下の地下通路等の人口密集地において有用である。
【０１０９】
また、図１７では、ＰＨＳの電波を利用する例を示したが、上記と同様に携帯電話の通信システムも利用することができる。
なお、位置特定部７５は、ＰＨＳや携帯電話の電波からは、大まかな位置を知るのみであり、正確な現在所在位置は、物理センサおよび赤外線によって特定する。
【０１１０】
［第４の実施の形態］
次に、第４の実施の形態を、図面を参照して詳細に説明する。位置特定部は、赤外線によって絶対位置を特定できる。従って、位置特定部は、必ずしもＧＰＳ受信部７１を備えなくてもよい。第４の実施の形態では、測位装置は、物理センサと赤外線とによって所在位置を特定する。
【０１１１】
図１８は、第４の実施の形態に係る測位装置のブロック図である。図１８において、図１３と同じものには同じ符号を付し、その説明を省略する。
図１８では、図１３に対し、ＧＰＳ受信部７１を有していない。図１８では、位置特定部７５は、ＧＰＳによる所在位置の特定を行わないだけで、その他の処理は図１３と同様である。
【０１１２】
このように、測位装置１１は、物理センサと赤外線とによって所在位置を特定することもできる。
［第５の実施の形態］
次に、第５の実施の形態を、図面を参照して詳細に説明する。測位信号送信装置は、例えば、頻繁に行われる各種工事、車両の往来等による道路の破損や変形、地震等によって、記憶されている位置情報（測位信号送信装置の設置されている緯度および経度）と通信可能領域の位置とにずれが生じる場合がある。これらのずれは、例えば、定期検査によって調整することができるが、第５の実施の形態では、調整が行われるまでの間でも測位装置が適切に所在位置を特定できるようにする。
【０１１３】
図１９は、第５の実施の形態に係る測位信号送信装置のブロック図である。図１９において、図１１と同じものには同じ符号を付し、その説明を省略する。図１９では、図１１に対し、ＧＰＳ受信部９１および角度センサ９２を有している。
【０１１４】
ＧＰＳ受信部９１は、ＧＰＳ衛星１４ａ〜１４ｃからＧＰＳ信号を受信する。
角度センサ９２は、測位信号送信装置１３の傾き（角度）を測定する。
制御部９３は、ＧＰＳ受信部９１によって受信されたＧＰＳ信号によって、現在の測位信号送信装置１３の所在位置を算出する。測位信号送信装置１３は、工事や地震等以外では、基本的に静止しているため、制御部９３は、長時間測位によって、ＧＰＳの測位による測位精度を向上することができる。
【０１１５】
また、制御部９３は、角度センサ９２から得られた角度情報によって、赤外線の照射範囲が、測位信号送信装置１３の位置（緯度および経度）より、どのくらいずれているかを算出する。記憶部５１には、測位信号送信装置１３の地上からの高さが予め記憶されており、制御部９３は、ＧＰＳ信号によって算出した測位信号送信装置１３の位置と、角度センサ９２からの角度情報と、測位信号送信装置１３の地上からの高さとによって、測位装置１１が受信されるであろう高さでの赤外線の位置（緯度および経度）を算出する。制御部９３は、算出した位置によって、赤外線に含める位置情報を補正する。
【０１１６】
これにより、測位装置１１は、測位信号送信装置１３の位置または赤外線を照射する角度がずれても、適切な所在位置を特定することができる。
なお、測位信号送信装置１３の角度のずれに比例して、赤外線の照射範囲は同心円でなくなり、大きさが変わってくる。従って、測位信号送信装置１３の角度のずれに比例して、測位精度は低下する。
【０１１７】
また、例えば、車両等による街路灯１２への衝突等、補正範囲を超える大きな角度ずれが生じた場合、制御部９３は、赤外線にエラー情報を含めるようにしてもよい。これにより、測位装置１１は、例えば、ユーザＡ１１に現在の所在位置は正確でないことを通知することが可能となる。また、街路灯１２の修理を促すことも可能となる。
【０１１８】
また、図１９の照度計測部５２を図１２で説明したように太陽電池とすることもできる。この場合、測位信号送信装置１３は、電力の外部供給が不要となり、例えば、地震等によって外部電力が供給されなくなっても動作することができる。
【０１１９】
［第６の実施の形態］
次に、第６の実施の形態を、図面を参照して詳細に説明する。測位装置は、第２の実施の形態の最後で述べたように、記憶部に照度ごとの受信強度と測位精度とを記憶することによって、測位信号送信装置が赤外線の照射範囲を一定に制御しなくても、所在位置を特定することができる。そして、第２の実施の形態では、照度は、測位信号送信装置によって測定され、赤外線で送信される。従って、測位信号送信装置が測定する照度（測位信号送信装置が設置されている位置での照度）と、測位装置の受ける照度とは異なる場合がある。例えば、測位信号送信装置には、太陽光が直接照射されているが、測位装置には、周囲の建物によって太陽光が直接照射されていない場合がある。そこで、第６の実施の形態では、測位装置自身が照度を測定し、自身で測定した照度に基づいて所在位置を特定する。
【０１２０】
図２０は、第６の実施の形態に係る測位装置のブロック図である。図２０において図１３と同じものには同じ符号を付し、その説明を省略する。図２０では、図１３に対し、照度計測部１０１を有している。また、記憶部７７には、図４および図５で説明した情報が記憶されている。
【０１２１】
照度計測部１０１は、測位装置１１の受ける照度を測定する。
位置特定部７５は、照度計測部１０１によって測定された照度に基づいて記憶部７７を参照し、測位装置１１が受けている照度での測位精度を取得する。
【０１２２】
例えば、照度計測部１０１によって測位された照度が７０ｋｌｘであったとする。また、受光部７４は、‘強’と‘中’の赤外線を受信していたとする。この場合、位置特定部７５は、記憶部７７に記憶されている図４に示す情報から、測位精度０．７ｍを取得する。そして、位置特定部７５は、‘強’と‘中’の赤外線の強度パターンに基づき、測位装置１１は、半径‘０．２ｍ’と半径‘０．７ｍ’の円の間に所在していると限定する。
【０１２３】
このように、測位装置１１は、自身で測定した照度によって所在位置を特定する。これにより、例えば、周囲の建物等の環境の影響を受けずに、所在位置を特定することが可能となる。
【０１２４】
［第７の実施の形態］
次に、第７の実施の形態を、図面を参照して詳細に説明する。第７の実施の形態では、測位装置は、磁気センサおよび電波受信部を有し、例えば、地中に敷設された磁性体標識および微弱電波発信機から位置情報を得る。
【０１２５】
図２１は、第７の実施の形態に係る測位装置のブロック図である。図２１において図１３と同じものには同じ符号を付し、その説明を省略する。図２１では、図１３に対し、磁気センサ１１１、電波受信部１１２、および位置特定部１１３を有している。
【０１２６】
磁気センサ１１１は、地中に敷設されている磁性体標識からその位置情報を取得する。
電波受信部１１２は、地中に敷設されている電波発信機からその位置情報を取得する。
位置特定部１１３は、磁気センサ１１１によって取得された位置情報によって、測位装置１１の位置を特定する。また、位置特定部１１３は、電波受信部１１２によって取得された位置情報によって、測位装置１１の所在位置を特定する。例えば、磁気センサ１１１および電波受信部１１２によって取得された位置情報には、識別情報が含まれており、位置特定部１１３は、取得された識別情報と、記憶部７７に記憶されているマップ情報とによって、測位装置１１の所在位置を特定する。
【０１２７】
このように、測位装置１１は、地中に敷設された磁性体標識および電波発信機から位置情報を得る。これにより、測位装置１１は、磁性体標識および電波発信機の設備の行き届いたエリアにおいては、効率的に所在位置を取得することができる。
【０１２８】
以上の実施の形態に開示された技術には、以下の付記に示す技術が含まれる。
（付記１）  測位信号送信装置から前記測位信号送信装置の位置情報と送信する光の強度を示す強度情報とを含む複数の異なる強度の光信号を受信する受光部と、
前記強度情報に基づいて前記受光部の受信した前記光信号の強度パターンを取得し、取得した前記強度パターンと前記位置情報とに基づいて所在位置を特定する特定部と、
を有することを特徴とする測位装置。
【０１２９】
（付記２）  前記特定部は、前記受光部によって受信された複数の異なる強度の前記光信号のうち、最も強度の小さい第１の強度の前記光信号の照射範囲と、前記第１の強度より小さい未受信の第２の強度の前記光信号の照射範囲との間に所在していると特定することを特徴とする付記１記載の測位装置。
【０１３０】
（付記３）  当該測位装置の移動方向を測定する方位センサをさらに有し、
前記特定部は、前記方位センサによって測定された移動方向によって所在位置をさらに特定することを特徴とする付記１または２記載の測位装置。
【０１３１】
（付記４）  照度ごとにおける前記強度パターンごとの測位精度を記憶した記憶部をさらに有し、
前記特定部は、前記受光部によって受信された前記光信号に含まれる前記測位信号送信装置が受ける光の照度に基づいて前記記憶部を参照し、前記強度パターンにおける測位精度を取得して所在位置を特定することを特徴とする付記１または２記載の測位装置。
【０１３２】
（付記５）  照度ごとにおける前記強度パターンごとの測位精度を記憶した記憶部と、
当該測位装置が受ける光の照度を測定する照度測定部と、
をさらに有し、
前記特定部は、前記照度測定部によって測定された照度に基づいて前記記憶部を参照し、前記強度パターンにおける測位精度を取得して所在位置を特定することを特徴とする付記１記載の測位装置。
【０１３３】
（付記６）  位置情報と送信する光の強度を示す強度情報とを含む複数の異なる強度の光信号を出力する発光部、
を有することを特徴とする測位信号送信装置。
【０１３４】
（付記７）  当該測位信号送信装置が受ける光の照度を測定する照度測定部と、
前記照度測定部の測定した照度に基づいて、前記発光部の出力する異なる強度の前記光信号のそれぞれの照射範囲が一定となるように制御する制御部と、
をさらに有することを特徴とする付記６記載の測位信号送信装置。
【０１３５】
（付記８）  当該測位信号送信装置の位置を測定する位置測定部と、
当該測位信号送信装置の傾きを測定する角度センサと、
前記位置測定部によって測定された位置と、前記角度センサによって測定された傾きと、当該測位信号送信装置の設置される高さとによって、前記光信号の照射される位置を算出し、算出した位置に基づいて前記位置情報を補正する補正部と、
をさらに有することを特徴とする付記６記載の測位信号送信装置。
【０１３６】
（付記９）  当該測位信号送信装置が受ける光の照度を測定する照度測定部をさらに有し、
前記発光部は、前記照度測定部の測定した照度を前記光信号に含めることを特徴とする付記６記載の測位信号送信装置。
【０１３７】
（付記１０）  測位信号送信装置から前記測位信号送信装置の位置情報と送信する光の強度を示す強度情報とを含む複数の異なる強度の光信号を受信し、
前記強度情報に基づいて受信した前記光信号の強度パターンを取得し、
取得した前記強度パターンと前記位置情報とに基づいて所在位置を特定する、
ことを特徴とする測位方法。
【０１３８】
（付記１１）  位置情報と送信する光の強度を示す強度情報とを含む複数の異なる強度の光信号を出力する、
ことを特徴とする測位信号送信方法。
【符号の説明】
【０１３９】
１  測位装置
１ａ  受光部
１ｂ  特定部
２  街路灯
３  測位信号送信装置
３ａ  発光部
Ａ１  ユーザ
Ｂ１  同心円
【図１】
0005712521.tif 000002
【図２】
0005712521.tif 000003
【図３】
0005712521.tif 000004
【図４】
0005712521.tif 000005
【図５】
0005712521.tif 000006
【図６】
0005712521.tif 000007
【図７】
0005712521.tif 000008
【図８】
0005712521.tif 000009
【図９】
0005712521.tif 000010
【図１０】
0005712521.tif 000011
【図１１】
0005712521.tif 000012
【図１２】
0005712521.tif 000013
【図１３】
0005712521.tif 000014
【図１４】
0005712521.tif 000015
【図１５】
0005712521.tif 000016
【図１６】
0005712521.tif 000017
【図１７】
0005712521.tif 000018
【図１８】
0005712521.tif 000019
【図１９】
0005712521.tif 000020
【図２０】
0005712521.tif 000021
【図２１】
0005712521.tif 000022